(57)【要約】【課題】コイルの製造時間を短縮化するとともに、導線の摩耗による損傷を低減させる。【解決手段】この発明に係るスタータ用電磁スイッチでは、ソレノイドケースの片側開口部で結合されたスイッチケースと、このスイッチケース内に固定された一対の固定接点と、筒部及びフランジ部９ａとから構成された固定鉄心と、この固定鉄心に対して接離する可動鉄心と、励磁されることにより開離ばねに抗して前記固定鉄心に接する方向へ前記可動鉄心を移動させるコイルと、前記可動鉄心とともに移動するロッドと、このロッドの往復動により前記固定接点に接離されて前記固定接点間を電気的に接続・遮断する可動接点とを備え、フランジ部９ａの外周縁部には、前記コイルの口出し線３３ａ，３３ｂ，３４ａ，３４ｂを外部に導出する切り欠き部３２ａ，３２ｂが形成されている。【選択図】図２
2006164563.tif 000002
【特許請求の範囲】
【請求項１】
ソレノイドケースと、
このソレノイドケースの片側開口部で結合されたスイッチケースと、
このスイッチケース内に互いに間隔をおいて固定された一対の固定接点と、
前記ソレノイドケース内に設けられ、筒部及びこの筒部の端部から径外側方向に延びたフランジ部とから構成された固定鉄心と、
この固定鉄心に対して接離する方向へ往復動可能な可動鉄心と、
前記固定鉄心から開離する方向へ前記可動鉄心を付勢する開離ばねと、
前記固定鉄心の前記筒部及び前記可動鉄心の外側にボビンを介して設けられ、励磁されることにより前記開離ばねに抗して前記固定鉄心に接する方向へ前記可動鉄心を移動させるコイルと、
前記可動鉄心とともに移動するロッドと、
前記ロッドの反可動鉄心側に設けられ、前記ロッドの往復動により前記固定接点に接離されて前記固定接点間を電気的に接続・遮断する可動接点とを備え、
前記フランジ部の外周縁部には、前記コイルの口出し線を外部に導出する切り欠き部が形成されているスタータ用電磁スイッチ。
【請求項２】
前記フランジ部の前記スイッチケース側の面には、前記切り欠き部に対応して口出し線用孔が形成されている平面状のプレートが当接しており、このプレートは、前記ソレノイドケースの外周端部を内径側に塑性変形させることで形成されたかしめ部により、ソレノイドケースに固定されている請求項１に記載のスタータ用電磁スイッチ。
【請求項３】
前記プレートは磁性体で構成されている請求項２に記載のスタータ用電磁スイッチ。
【発明の詳細な説明】
【技術分野】
【０００１】
この発明は、スタータモータへの通電を入切するスタータ用電磁スイッチに関するものである。
【背景技術】
【０００２】
従来、ソレノイドケースと、このソレノイドケースの片側開口部で結合されたスイッチケースと、このスイッチケース内に互いに間隔をおいて固定された一対の固定接点と、前記ソレノイドケース内に設けられ、筒部及びこの筒部の端部から径外側方向に延びたフランジ部とから構成された固定鉄心と、この固定鉄心に対して接離する方向へ往復動可能な可動鉄心と、前記固定鉄心から開離する方向へ前記可動鉄心を付勢する開離ばねと、前記固定鉄心の前記筒部及び前記可動鉄心の外側にボビンを介して設けられ、励磁されることにより前記開離ばねに抗して前記固定鉄心に接する方向へ前記可動鉄心を移動させるコイルと、前記可動鉄心とともに移動するロッドと、前記ロッドの反可動鉄心側に設けられ、前記ロッドの往復動により前記固定接点に接離されて前記固定接点間を電気的に接続・遮断する可動接点とを備えたスタータ用電磁スイッチが知られている（例えば、特許文献１参照）。
【０００３】
【特許文献１】特開２００１−２０２８６２号公報（図１）
【発明の開示】
【発明が解決しようとする課題】
【０００４】
上記スタータ用電磁スイッチでは、固定鉄心のフランジ部に、コイルの口出し線を外部に導出するための口出し線用孔が形成されているが、ボビンに導線を巻回してコイルを製造する際には、この口出し線用孔に導線を通すのに時間を要し、コイルの製造時間が長くなると同時に、導線が口出し線用孔の内壁面で摩耗し易いという問題点があった。
【０００５】
この発明は、上記のような問題点を解決することを課題とするものであって、コイルの製造時間が短縮化されるとともに、コイル製造時の導線の摩耗による損傷は低減される。
【課題を解決するための手段】
【０００６】
この発明に係るスタータ用電磁スイッチでは、ソレノイドケースと、このソレノイドケースの片側開口部で結合されたスイッチケースと、このスイッチケース内に互いに間隔をおいて固定された一対の固定接点と、前記ソレノイドケース内に設けられ、筒部及びこの筒部の端部から径外側方向に延びたフランジ部とから構成された固定鉄心と、この固定鉄心に対して接離する方向へ往復動可能な可動鉄心と、前記固定鉄心から開離する方向へ前記可動鉄心を付勢する開離ばねと、前記固定鉄心の前記筒部及び前記可動鉄心の外側にボビンを介して設けられ、励磁されることにより前記開離ばねに抗して前記固定鉄心に接する方向へ前記可動鉄心を移動させるコイルと、前記可動鉄心とともに移動するロッドと、前記ロッドの反可動鉄心側に設けられ、前記ロッドの往復動により前記固定接点に接離されて前記固定接点間を電気的に接続・遮断する可動接点とを備え、前記フランジ部の外周縁部には、前記コイルの口出し線を外部に導出する切り欠き部が形成されている。
【発明の効果】
【０００７】
この発明に係るスタータ用電磁スイッチでは、固定鉄心のフランジ部の外周縁部には、コイルの口出し線を外部に導出する切り欠き部が形成されているので、ボビンに導線を巻回してコイルを製造する際には、導線を切り欠き部に迅速に通すことができ、コイルの製造時間が短縮化されるとともに、コイル製造時の導線の摩耗による損傷は低減される。
【発明を実施するための最良の形態】
【０００８】
以下、この発明の実施の形態を図について説明する。
実施の形態１．
図１はこの発明の実施の形態１によるスタータ用電磁スイッチを示す断面図である。
図において、円筒状のソレノイドケース１の開口端部には、スイッチケース２がパッキン３を介して結合されている。スイッチケース２内には、一対の固定接点４が互いに間隔をおいて固定されている。それぞれの固定接点４には、それぞれ端子５が設けられている。なお、図１では、固定接点４及び端子５は紙面に対して垂直方向に互いに対向して配設されているので、一方の固定接点４、端子５のみしか示されていない。
【０００９】
ソレノイドケース１内には、円筒状のボビン７が収容されている。ボビン７の外周部には、一次コイル８ａ及びこの一次コイル８ａの外側に設けられた二次コイル８ｂとから構成されたコイル８が保持されている。固定鉄心９は、ボビン７のスイッチケース２側の端面に接合されているフランジ部９ａと、ボビン７内に挿入された円筒部９ｂとを有している。固定鉄心９のフランジ部９ａには、磁性体からなる円環平板状のプレート３０が重ねられている。固定鉄心９は、スイッチケース２を貫通したねじ３１により、ソレノイドケース１に固定されている。
【００１０】
ボビン７内には、ボビン７の内壁面に対して往復摺動可能な可動鉄心１０が挿入されており、この可動鉄心１０の一端部は、円筒部９ｂの端面に接離される。また、可動鉄心１０の他端部は、ソレノイドケース１の外部に突出している。可動鉄心１０の他端部とソレノイドケース１との間には、固定鉄心９から開離する方向へ可動鉄心１０を付勢する開離ばね１１が設けられている。
【００１１】
可動鉄心１０の軸線上には、可動鉄心１０とともに移動するロッド１２が設けられている。ロッド１２は、可動鉄心１０に固定されている大径部１２ａと、この大径部１２ａに隣接している小径部１２ｂとを有している。
ロッド１２の小径部１２ｂのスイッチケース２側の端部には、軸方向に往復動可能な保持部材１３及びリング状の保持板１４が設けられている。
【００１２】
保持部材１３と保持板１４との間には、一対の固定接点４に接離される平板状の可動接点１５が設けられている。ロッド１２の大径部１２ａと保持部材１３との間には、固定接点４側へ可動接点１５を付勢する接圧ばね１６が設けられている。
【００１３】
図２は図１の固定鉄心９のフランジ部９ａにボビン７が当接された状態における、固定鉄心９の正面図である。
ドーナツ形状をしたフランジ部９ａには、外周縁部に互いに対向した第１の切り欠き部３２ａ、及び第２の切り欠き部３２ｂが形成されている。Ｕ形状の第１の切り欠き部３２ａからは一次コイル８ａの一方の口出し線３３ａが導出されており、Ｕ形状の第２の切り欠き部３２ｂからは一次コイル８ａの他方の口出し線３３ｂが導出されている。
また、第２の切り欠き部３２ｂからは二次コイル８ｂの一方の口出し線３４ａが導出されており、第１の切り欠き部３２ａからは二次コイル８ｂの他方の口出し線３４ｂが導出されている。この口出し線３４ｂはフランジ部９ａに溶接により接続されている。
【００１４】
フランジ部９ａには、ねじ３１が螺着されるねじ孔３５が形成されている。また、このねじ孔３５の近傍には、位置決め用孔３６が形成されており、スイッチケース２に形成された突起部（図示せず）が位置決め用孔３６に貫通することで、固定鉄心９に対するスイッチケース２の相対位置が定まる。
【００１５】
図３は図１のプレート３０を示す正面図であり、このプレート３０には、第１の切り欠き部３２ａに対向して第１の口出し線用孔３７ａが形成され、第２の切り欠き部３２ｂに対向して第２の口出し線用孔３７ｂが形成されている。
また、プレート３０には、ねじ孔３５に対向してねじ孔３８が形成され、位置決め用孔３６に対向して位置決め用孔３９が形成されている。
【００１６】
図４は、図１のソレノイドケース１にスイッチケース２を固定する前の状態において、図１の左側からプレート３０を視たときの図であり、プレート３０及び固定鉄心９は、ソレノイドケース１の外周端部を内径側に塑性変形させることで形成されたかしめ部１ａにより、ソレノイドケース１に固定されている。
【００１７】
次に、上記構成のスタータ用電磁スイッチの動作について説明する。
コイル８が励磁されていないときは、開離ばね１１のばね力により可動鉄心１０が固定鉄心９から開離されており、可動接点１５も固定接点４から開離されている。このため、一対の固定接点４間に電流は流れない。
【００１８】
一方、コイル８が励磁されると、可動鉄心１０及び可動接点１５は、ロッド１２とともに開離ばね１１の弾性力に抗して図１の左方へ移動する。その移動とともに、ロッド１２の反可動接点１５側に設けられたシフトレバー（図示せず）を介してピニオン（図示せず）は押し出されてリングギヤ（図示せず）と歯合し、ピニオン及びリングギヤがほぼ歯合した時点で、可動鉄心１０は、固定鉄心９に当接する。このときには、可動接点１５も、固定接点４に当接する。これにより、固定接点４は、可動接点１５を介して互いに電気的に接続され、一対の端子５間に電流が流れ、スタータモータは通電されて、エンジンは始動する。
【００１９】
なお、可動接点１５が固定接点４に当接した後も、所定の範囲だけ可動鉄心１０及びロッド１２が図１の左方へ移動されるため、保持部材１３及び可動接点１５は、ロッド１２に対して図１の右方へ相対的に移動され、接圧ばね１６が圧縮される。これにより、固定接点４に対する可動接点１５の接圧が得られる。
【００２０】
上記構成のスタータ用電磁スイッチによれば、固定鉄心９のフランジ部９ａの外周縁部には、コイル８の口出し線３３ａ，３３ｂ，３４ａ，３４ｂを外部に導出する切り欠き部３２ａ，３２ｂが形成されているので、ボビン７に導線を巻回してコイル８を製造する際には、導線を切り欠き部３２ａ，３２ｂを通すときの自由度が高いので、迅速に通すことができ、コイル８の製造時間が短縮化されるとともに、コイル８を製造する際の摩耗による損傷は低減される。
【００２１】
また、フランジ部９ａのスイッチケース２側の面には、切り欠き部３２ａ，３２ｂに対応して口出し線用孔３７ａ，３７ｂが形成されている円形平板状のプレート３０が当接しており、このプレート３０は、ソレノイドケース１の外周端部を内径側に塑性変形させることで形成されたかしめ部１ａにより、ソレノイドケース１に固定されているので、円形平板状のプレート３０の外周縁部にはかしめ部１ａが密接しており、スタータ用電磁スイッチの防水性が確保される。
なお、プレートをソレノイドケースに固定するに、例えばねじを用いてもよいのは勿論である。
【００２２】
また、フランジ部９ａと面接触したプレート３０は磁性体で構成されており、プレート３０は、コイル８で生じた磁力線の磁気回路を構成するフランジ部９ａとともに磁気回路を構成しているので、フランジ部９ａの肉厚を薄くしても磁気回路の磁気抵抗が大きくなるようなことはなく、プレート３０を設けることで軸方向の寸法が大きくなるようなことはない。
【図面の簡単な説明】
【００２３】
【図１】この発明の実施の形態１によるスタータ用電磁スイッチを示す断面図である。
【図２】図１の固定鉄心のフランジ部にボビンが当接された状態における、固定鉄心の正面図である。
【図３】図１のプレートを示す正面図である。
【図４】図１のソレノイドケースにスイッチケースを固定する前の状態において、図１の左側からプレートを視たときの図である。
【符号の説明】
【００２４】
１  ソレノイドケース、１ａ  かしめ部、２  スイッチケース、３，４  固定接点、７  ボビン、８  コイル、９  固定鉄心、１０  可動鉄心、１１  開離ばね、１２  ロッド、１５  可動接点、３０  プレート、３２ａ  第１の切り欠き部、３２ｂ  第２の切り欠き部、３３ａ，３３ｂ，３４ａ，３４ｂ  口出し線、３７ａ  第１の口出し線用孔、３７ｂ  第２の口出し線用孔。
【図１】
2006164563.tif 000003
【図２】
2006164563.tif 000004
【図３】
2006164563.tif 000005
【図４】
2006164563.tif 000006